(57)【要約】【課題】軸受の錆を抑制することができるブラシレスモータを提供することを目的とする。【解決手段】ブラシレスモータ１０は、円筒状の軸受収容部２４と、軸受収容部２４の径方向外側に形成された外筒部２６とを有するロータハウジング２０と、外筒部２６の内周面に設けられたロータマグネット２２と、軸受収容部２４に収容されモータシャフト３２に組み付けられた軸受３０と、軸受収容部２４とロータマグネット２２との径方向間に設けられた環状のコア本体４０と、コア本体４０の内周部に沿って環状に形成されると共に、コア本体４０の内周部から径方向内側に延出し、軸受収容部２４における一方の開口２４Ａと対向する環状壁部４４とを有するステータコア３４と、外筒部２６における一方の開口２６Ａと対向する本体部４６と、ステータコア３４の軸方向に環状壁部４４と密着された密着部５２とを有するセンターピース１６と、を備えている。【選択図】図１
2014036525.tif 000002
【特許請求の範囲】
【請求項１】
円筒状の軸受収容部と、前記軸受収容部の径方向外側に形成された外筒部とを有するロータハウジングと、
前記外筒部の内周面に設けられたロータマグネットと、
前記軸受収容部に収容されると共に、モータシャフトに組み付けられた軸受と、
前記軸受収容部と前記ロータマグネットとの径方向間に設けられた環状のコア本体と、前記コア本体の内周部に沿って環状に形成されると共に、前記コア本体の内周部から径方向内側に延出し、前記軸受収容部における一方の開口と対向する環状壁部とを有するステータコアと、
前記外筒部における一方の開口と対向する本体部と、前記ステータコアの軸方向に前記環状壁部と密着された密着部とを有するセンターピースと、
を備えたブラシレスモータ。
【請求項２】
前記センターピースは、前記密着部から前記環状壁部の内孔を通じて前記軸受収容部における一方の開口に向けて突出する突出部を有し、
前記突出部の先端には、かしめられることにより前記内孔の径方向外側に広がって前記環状壁部を前記密着部に密着させるかしめ部が形成されている、
請求項１に記載のブラシレスモータ。
【請求項３】
前記環状壁部の外縁部は、前記密着部よりも径方向外側に位置し、
前記環状壁部の外縁部のうち前記ブラシレスモータの設置状態において鉛直方向下側に位置する部位には、貫通孔が形成されている、
請求項１又は請求項２に記載のブラシレスモータ。
【発明の詳細な説明】
【技術分野】
【０００１】
本発明は、ブラシレスモータに関する。
【背景技術】
【０００２】
従来、有底筒状に形成されたロータハウジングと、このロータハウジングの開口と対向するセンターピースと、このセンターピースに形成された筒状部の外側に圧入されると共にロータハウジングの内側に収容された環状のステータコアとを備えたアウタロータ型のブラシレスモータが知られている（例えば、特許文献１参照）。
【先行技術文献】
【特許文献】
【０００３】
【特許文献１】特開２００９−１４８０５６号公報
【発明の概要】
【発明が解決しようとする課題】
【０００４】
このようなブラシレスモータにおいて、センターピースとステータコアとが異なる材料で形成された場合、線膨張係数の相違から、センターピースの筒状部とステータコアとの径方向間に隙間が生じる虞がある。特に、ステータコア及びセンターピースの収縮は、主として径方向に起こることから、少しの収縮により簡単に隙間ができてしまう。
【０００５】
従って、センターピースの筒状部とステータコアとの径方向間に隙間が生じた場合、ロータハウジングとセンターピースとの軸方向間の隙間から入り込んだ水が、上述の筒状部とステータコアとの径方向間に形成された隙間を通じて、ロータハウジング中心部の軸受収容部内に浸入する虞がある。この場合には、軸受収容部内に収容された軸受が被水し、この軸受が錆びる虞がある。
【０００６】
本発明は、上記課題に鑑みてなされたものであって、軸受の錆を抑制することができるブラシレスモータを提供することを目的とする。
【課題を解決するための手段】
【０００７】
前記課題を解決するために、請求項１に記載のブラシレスモータは、円筒状の軸受収容部と、前記軸受収容部の径方向外側に形成された外筒部とを有するロータハウジングと、前記外筒部の内周面に設けられたロータマグネットと、前記軸受収容部に収容されると共に、モータシャフトに組み付けられた軸受と、前記軸受収容部と前記ロータマグネットとの径方向間に設けられた環状のコア本体と、前記コア本体の内周部に沿って環状に形成されると共に、前記コア本体の内周部から径方向内側に延出し、前記軸受収容部における一方の開口と対向する環状壁部とを有するステータコアと、前記外筒部における一方の開口と対向する本体部と、前記ステータコアの軸方向に前記環状壁部と密着された密着部とを有するセンターピースと、を備えている。
【０００８】
このブラシレスモータによれば、ステータコアには、コア本体の内周部に沿って環状に形成されると共に、コア本体の内周部から径方向内側に延出する環状壁部が形成されている。この環状壁部は、軸受収容部における一方の開口と対向している。一方、センターピースには、密着部が形成されており、この密着部は、ステータコアの軸方向に環状壁部と密着されている。従って、例えばステータコア及びセンターピースが熱収縮した場合（特に、主として径方向に収縮した場合）でも、環状壁部と密着部との間に隙間が形成されることを抑制することができる。これにより、ロータハウジングとセンターピースとの軸方向間の隙間から水が入り込んだ場合でも、軸受収容部内に水が浸入することを抑制することができるので、軸受の錆を抑制することができる。
【０００９】
請求項２に記載のブラシレスモータは、請求項１に記載のブラシレスモータにおいて、前記センターピースが、前記密着部から前記環状壁部の内孔を通じて前記軸受収容部における一方の開口に向けて突出する突出部を有し、前記突出部の先端には、かしめられることにより前記内孔の径方向外側に広がって前記環状壁部を前記密着部に密着させるかしめ部が形成された構成とされている。
【００１０】
このブラシレスモータによれば、センターピースには、密着部から環状壁部の内孔を通じて軸受収容部における一方の開口に向けて突出する突出部が形成されている。そして、この突出部の先端がかしめられることにより内孔の径方向外側に広がるかしめ部が形成され、このかしめ部により環状壁部が密着部と密着されている。従って、ブラシレスモータの組立工程において、環状壁部を密着部に容易に密着させることができると共に、ブラシレスモータの組立後においても、環状壁部を密着部に密着させた状態に維持することができる。
【００１１】
請求項３に記載のブラシレスモータは、請求項１又は請求項２に記載のブラシレスモータにおいて、前記環状壁部の外縁部が、前記密着部よりも径方向外側に位置し、前記環状壁部の外縁部のうち前記ブラシレスモータの設置状態において鉛直方向下側に位置する部位には、貫通孔が形成された構成とされている。
【００１２】
このブラシレスモータによれば、環状壁部の外縁部のうちブラシレスモータの設置状態において鉛直方向下側に位置する部位には、貫通孔が形成されている。従って、コア本体の内側に水が浸入した場合でも、この水を貫通孔を通じて排出することができる。
【図面の簡単な説明】
【００１３】
【図１】本発明の一実施形態に係るブラシレスモータの縦断面図である。
【発明を実施するための形態】
【００１４】
以下、図面に基づき、本発明の一実施形態について説明する。
【００１５】
図１に示されるように、本発明の一実施形態に係るブラシレスモータ１０は、ロータ１２と、ステータ１４と、センターピース１６と、制御ユニット１８とを備えている。
【００１６】
ロータ１２は、ロータハウジング２０とロータマグネット２２とを備えている。ロータハウジング２０は、円筒状の軸受収容部２４と、軸受収容部２４の径方向外側に形成された外筒部２６とを有している。軸受収容部２４及び外筒部２６におけるセンターピース１６と反対側の端部は、底壁部２８によって連結されている。軸受収容部２４には、一対の軸受３０が収容されており、この一対の軸受３０には、モータシャフト３２が組み付けられている。また、ロータマグネット２２は、外筒部２６の内周面に設けられている。
【００１７】
ステータ１４は、ステータコア３４と、複数の巻線３６と、インシュレータ３８を備えている。ステータコア３４は、環状のコア本体４０を有している。このコア本体４０は、軸受収容部２４とロータマグネット２２との径方向間に設けられている。このコア本体４０は、放射状に延びる複数のティース部４２を有している。このコア本体４０には、インシュレータ３８が装着されており、各巻線３６は、このインシュレータ３８を介してティース部４２に巻回されている。
【００１８】
また、ステータコア３４には、環状壁部４４が形成されている。この環状壁部４４は、コア本体４０の内周部に沿って環状に形成されると共に、コア本体４０の内周部から径方向内側に延出されている。そして、この環状壁部４４は、軸受収容部２４における一方の開口２４Ａと対向されている。
【００１９】
センターピース１６は、一例として、アルミニウム合金製とされている。このセンターピース１６は、円盤状の本体部４６を有している。この本体部４６は、外筒部２６における一方の開口２６Ａと対向されており、制御ユニット１８は、この本体部４６に支持されている。この本体部４６には、軸受収容部２４側に膨出する膨出部４８が形成されており、この膨出部４８の中心部には、シャフト支持部５０が形成されている。シャフト支持部５０は、軸受収容部２４と反対側に凹む凹状に形成されており、モータシャフト３２の一端側（軸受３０により支持された側と反対側の部分）は、このシャフト支持部５０に収容（圧入）されて支持されている。
【００２０】
また、この膨出部４８の先端の壁部は、密着部５２として形成されている。この密着部５２は、ステータコア３４の軸方向に環状壁部４４と密着されている。この密着部５２の中心部には、突出部５４が形成されている。この突出部５４は、密着部５２の中心部から環状壁部４４の内孔５６を通じて軸受収容部２４における一方の開口２４Ａに向けて突出されている。この突出部５４の先端には、かしめられることにより内孔５６の径方向外側に広げられたかしめ部５８が形成されており、上述の環状壁部４４は、このかしめ部５８によって押圧されることにより密着部５２と密着されている。
【００２１】
また、この環状壁部４４の外縁部４４Ａ（径方向外側の部分）は、密着部５２よりも径方向外側に位置しており、この環状壁部４４の外縁部４４Ａのうちブラシレスモータ１０の設置状態において鉛直方向下側に位置する部位には、貫通孔６０が形成されている。なお、本実施形態では、一例として、ブラシレスモータ１０は、モータシャフト３２が水平になると共に貫通孔６０が鉛直方向下側に位置するように設置される。
【００２２】
次に、本発明の一実施形態の作用及び効果について説明する。
【００２３】
以上詳述したように、本発明の一実施形態に係るブラシレスモータ１０によれば、ステータコア３４には、コア本体４０の内周部に沿って環状に形成されると共に、コア本体４０の内周部から径方向内側に延出する環状壁部４４が形成されている。この環状壁部４４は、軸受収容部２４における一方の開口２４Ａと対向している。一方、センターピース１６には、密着部５２が形成されており、この密着部５２は、ステータコア３４の軸方向に環状壁部４４と密着されている。従って、例えばステータコア３４及びセンターピース１６が熱収縮した場合（特に、主として径方向に収縮した場合）でも、環状壁部４４と密着部５２との間に隙間が形成されることを抑制することができる。これにより、ロータハウジング２０とセンターピース１６との軸方向間の隙間６２から水Ｗが入り込んだ場合でも、軸受収容部２４内に水が浸入することを抑制することができるので、軸受３０の錆を抑制することができる。
【００２４】
また、センターピース１６には、密着部５２の中心部から環状壁部４４の内孔５６を通じて軸受収容部２４における一方の開口２４Ａに向けて突出する突出部５４が形成されている。そして、この突出部５４の先端がかしめられることにより内孔５６の径方向外側に広がるかしめ部５８が形成され、このかしめ部５８により環状壁部４４が密着部５２と密着されている。従って、ブラシレスモータ１０の組立工程において、環状壁部４４を密着部５２に容易に密着させることができると共に、ブラシレスモータ１０の組立後においても、環状壁部４４を密着部５２に密着させた状態に維持することができる。
【００２５】
特に、上述のように、かしめ部５８によって環状壁部４４が密着部５２と密着されることによりステータコア３４がセンターピース１６に固定されている。従って、ステータコア３４及びセンターピース１６が熱収縮した場合（特に、主として径方向に収縮した場合）でも、ステータコア３４がセンターピース１６から脱落することを抑制することができる。
【００２６】
また、環状壁部４４の外縁部４４Ａのうちブラシレスモータ１０の設置状態において鉛直方向下側に位置する部位には、貫通孔６０が形成されている。従って、コア本体４０の内側に水が浸入した場合でも、この水を貫通孔６０を通じて排出することができる。
【００２７】
次に、本発明の一実施形態の変形例について説明する。
【００２８】
上述の本発明の一実施形態において、センターピース１６は、一例として、アルミニウム合金製とされていたが、例えば、その他の熱伝導性の良い金属製や、樹脂製とされていても良い。
【００２９】
また、環状壁部４４は、かしめ部５８によって押圧されることにより密着部５２と密着されていたが、例えば、その他の締結部材やリベット等により密着部５２と密着状態で固定されていても良い。
【００３０】
また、密着部５２は、壁状に形成されていたが、壁状でなくても良い。
【００３１】
また、ブラシレスモータ１０は、モータシャフト３２が水平になるように設置されていたが、モータシャフト３２が水平方向に対して傾斜するように設置されても良く、また、モータシャフト３２が鉛直方向に沿うように設置されても良い。
【００３２】
以上、本発明の一実施形態について説明したが、本発明は、上記に限定されるものでなく、上記以外にも、その主旨を逸脱しない範囲内において種々変形して実施可能であることは勿論である。
【符号の説明】
【００３３】
１０・・・ブラシレスモータ、１２・・・ロータ、１４・・・ステータ、１６・・・センターピース、１８・・・制御ユニット、２０・・・ロータハウジング、２２・・・ロータマグネット、２４・・・軸受収容部、２４Ａ・・・開口、２６・・・外筒部、２６Ａ・・・開口、２８・・・底壁部、３０・・・軸受、３２・・・モータシャフト、３４・・・ステータコア、３６・・・巻線、３８・・・インシュレータ、４０・・・コア本体、４２・・・ティース部、４４・・・環状壁部、４４Ａ・・・外縁部、４６・・・本体部、４８・・・膨出部、５０・・・シャフト支持部、５２・・・密着部、５４・・・突出部、５６・・・内孔、５８・・・かしめ部、６０・・・貫通孔
【図１】
2014036525.tif 000003